(57)【要約】【課題】  ジッタ最適点探索精度を向上することができ、またジッタ最適点探索時間を短縮することが可能な信号処理装置を提供する。【解決手段】  ジッタ検出部１２５は、例えば遮断周波数（ＦＣ）、およびブースト量（ＢＳＴ）の２つのパラメータよりなる２変数平面上の所定の三角形領域の各頂点におけるジッタ値を測定し、ジッタ値が小さいほど大きな値を示すジッタ指標値Ａ、Ｂ、およびＣ、（Ａ≦Ｂ≦Ｃ）を求める。ジッタ最適値探索部１２６は、前記ジッタ指標値Ａ、Ｂ、およびＣの大小関係に応じて、前記三角形領域の各辺を所定の比率で分割する点（３点）を求め、これらの分割点を頂点とする三角形の重心をジッタ最適点として求める。【選択図】  図１
2006127581.tif 000002
【特許請求の範囲】
【請求項１】
少なくとも２つのパラメータによって周波数特性が設定されるフィルタに、光ディスクから読み取られた信号を通過させて波形整形を行う波形整形手段と、
前記波形整形手段から出力される信号を２値化した２値化信号を出力する２値化手段と、
前記２値化信号に同期したクロック信号を生成するＰＬＬ回路と、
前記２値化信号とクロック信号との位相のずれが小さいほど大きな値を示すジッタ指標値を出力するジッタ検出手段と、
前記ジッタ指標値に基づいて、前記フィルタに設定されるパラメータを決定し、前記フィルタに設定するパラメータ設定手段と、
を備え、
前記パラメータ設定手段は、前記２つのパラメータを２つの座標軸とする座標平面上の所定の３つの点をａ，ｂ，ｃとし、各点に対応する２つのパラメータをそれぞれ前記フィルタに設定したときに検出される前記ジッタ指標値をＡ，Ｂ，Ｃ（ただし、Ａ≦Ｂ≦Ｃとする。）とし、所定の重み付け係数をα，β（ただし、１≦α≦βとする。）としたときに、前記座標平面において、
線分ａｂをＢα／（Ａ＋Ｂα）：Ａ／（Ａ＋Ｂα）に内分した点、
線分ｂｃをＣβ／（Ｂα＋Ｃβ）：Ｂα／（Ｂα＋Ｃβ）に内分した点、および
線分ｃａをＡ／（Ａ＋Ｃβ）：Ｃβ／（Ａ＋Ｃβ）に内分した点、
の３つの点によって形成される三角形領域の重心点を求め、その重心点に対応する２つのパラメータを前記フィルタに設定するように構成されていることを特徴とする信号処理装置。
【請求項２】
請求項１の信号処理装置であって、
さらに、前記座標平面上の所定の４つ以上の点から成る多角形領域における互いに隣り合う２つの頂点、および前記多角形領域の重心点から成る三角形領域のうち、前記２つの頂点および多角形領域の重心点にそれぞれ対応する前記ジッタ指標値の総和が最大になる三角形領域を求める三角形領域決定部を備え、
前記パラメータ設定手段は、前記三角形領域決定部によって求められた三角形領域を前記座標平面上の所定の３つの点として、前記フィルタに設定するパラメータを求めるように構成されていることを特徴とする信号処理装置。
【請求項３】
請求項１の信号処理装置であって、
さらに、前記座標平面上の所定の４つ以上の点からなる多角形領域における互いに隣り合う２つの頂点、および前記多角形領域の重心点から成る三角形領域のうち、前記２つの頂点、前記２つの頂点の中点、および多角形領域の重心点にそれぞれ対応する前記ジッタ指標値の総和が最大になる三角形領域を求める三角形領域決定部を備え、
前記パラメータ設定手段は、前記三角形領域決定部によって求められた三角形領域を前記座標平面上の所定の３つの点として、前記フィルタに設定する２つのパラメータを求めるように構成されていることを特徴とする信号処理装置。
【請求項４】
請求項２、および請求項３のうちの何れか１項の信号処理装置であって、
前記三角形領域決定部は、パラメータ設定手段が求めた前記重心点を重心点とする新たな多角形領域について、前記ジッタ指標値の総和が最大になる三角形領域を求めるように構成され、
前記パラメータ設定手段は、繰り返し、前記三角形領域の重心点を求めるように構成されていることを特徴とする信号処理装置。
【請求項５】
請求項４の信号処理装置であって、
前記パラメータ設定手段は、
前記多角形領域の大きさが所定の大きさ以下になった場合、
前記パラメータ設定手段がＮ回目（Ｎは自然数）の繰り返しで求めた２つのパラメータとＮ＋１回目の繰り返しで求めた２つのパラメータのそれぞれ対応する２つのパラメータのそれぞれの差の絶対値の合計が所定値以下になった場合、
前記パラメータ設定手段が求めた重心点に対応するジッタ指標値が所定値より大きな場合、
または前記パラメータ設定手段が求めた重心点に対応するジッタ指標値が多角形領域の頂点に対応するジッタ指標値よりも大きな場合、
の少なくとも何れか１つの場合に前記繰り返しを中止するように構成されていることを特徴とする信号処理装置。
【請求項６】
請求項１から請求項５のうちの何れか１項の信号処理装置、および光ディスクから信号を読み取る光ピックアップを有することを特徴とする光ディスク再生装置。
【請求項７】
少なくとも２つのパラメータによって周波数特性が設定されるフィルタに、光ディスクから読み取られた信号を通過させて波形整形を行う波形整形手段と、
前記波形整形手段から出力される信号を２値化した２値化信号を出力する２値化手段と、
前記２値化信号に同期したクロック信号を生成するＰＬＬ回路と、
前記２値化信号とクロック信号との位相のずれが小さいほど大きな値を示すジッタ指標値を出力するジッタ検出手段と、
前記ジッタ指標値に基づいて、前記フィルタに設定されるパラメータを決定し、前記フィルタに設定するパラメータ設定手段と、
を備えた信号処理装置における信号処理方法であって、
前記パラメータ設定手段において、前記２つのパラメータを２つの座標軸とする座標平面上の所定の３つの点をａ，ｂ，ｃとし、各点に対応する２つのパラメータをそれぞれ前記フィルタに設定したときに検出される前記ジッタ指標値をＡ，Ｂ，Ｃ（ただし、Ａ≦Ｂ≦Ｃとする。）とし、所定の重み付け係数をα，β（ただし、１≦α≦βとする。）としたときに、前記座標平面において、
線分ａｂをＢα／（Ａ＋Ｂα）：Ａ／（Ａ＋Ｂα）に内分した点、
線分ｂｃをＣβ／（Ｂα＋Ｃβ）：Ｂα／（Ｂα＋Ｃβ）に内分した点、および
線分ｃａをＡ／（Ａ＋Ｃβ）：Ｃβ／（Ａ＋Ｃβ）に内分した点、
の３つの点によって形成される三角形領域の重心点を求め、その重心点に対応する２つのパラメータを前記フィルタに設定することを特徴とする信号処理方法。
【発明の詳細な説明】
【技術分野】
【０００１】
本発明は、例えば光ディスクを再生する際の再生信号の高周波成分のノイズを除去するローパスフィルタの遮断周波数などの再生信号の波形に影響する複数のパラメータのうちの２つのパラメータの最適な組合せを探索し、探索したパラメータを用いて再生などの信号処理を行う信号処理装置、信号処理方法、および光ディスク再生装置に関するものである。
【背景技術】
【０００２】
光ディスクに記録されている情報を再生する光ディスク再生装置には、例えば再生信号の高周波成分のノイズを除去するローパスフィルタの遮断周波数（ＦＣ）などの再生信号の波形に影響するパラメータを変更することによって、２値化された再生信号と再生を行う際の基準となるクロック信号の時間的な位相のずれ度合いを示すジッタ値が小さくなるように調整する信号処理装置が設けられている。
【０００３】
そのような信号処理装置としては、再生信号の波形に影響する２つのパラメータを随時変更させながら再生時のジッタ値が最適な状態となるパラメータを繰り返し探索し、探索されたパラメータを用いてジッタ値の調整を行う信号処理装置が知られている（例えば、特許文献１を参照。）。
【０００４】
図１６は、上記のような信号処理装置９００の構成を示すブロック図である。同図に示すように、信号処理装置９００は、再生信号検出部９２１、再生信号波形整形部９２２、再生信号２値化部９２３、ＰＬＬ回路９２４、ジッタ検出部９２５、およびジッタ最適値検出部９２６を備えて構成され、光ピックアップ９１０が光ディスク８００から読み取った情報を再生するようになっている。
【０００５】
再生信号検出部９２１は、光ピックアップ９１０から得られる信号を基に前記光ディスク８００上に記録された情報を示す複数の周波数成分からなる再生信号を検出するようになっている。
【０００６】
再生信号波形整形部９２２は、再生信号検出部９２１が出力した再生信号に混入している不要な高周波成分のノイズを除去するための図示しないローパスフィルタの遮断周波数（ＦＣ）の設定、および前記再生信号の高域成分を増幅する際のブースト量（ＢＳＴ）の設定を行い、再生信号検出部９２１が出力した再生信号の波形整形を行うようになっている。これら２つのパラメータ（遮断周波数、およびブースト量）は、前記ジッタ値に影響するパラメータである。
【０００７】
再生信号２値化部９２３は、再生信号波形整形部９２２によって波形整形された再生信号を所定の閾値で２値化した信号を生成するようになっている。
【０００８】
ＰＬＬ回路９２４は、光ディスク８００に対する情報の記録または再生を行う際の基準となるクロック信号と２値化された再生信号の時間的な位相の同期化を行うようになっている。
【０００９】
ジッタ検出部９２５は、前記２値化信号と前記クロック信号の時間的な位相のずれ度合いを示すジッタ値を検出するようになっている。
【００１０】
ジッタ最適値検出部９２６は、ジッタ検出部９２５により検出されるジッタ値に影響するパラメータを後述するように随時変更させながらジッタ値が最適となるパラメータを検出するようになっている。
【００１１】
図１７は、ジッタ値に影響を与えるパラメータのうち、前記遮断周波数（ＦＣ）、およびブースト量（ＢＳＴ）の２つのパラメータとジッタ値の関係を示したものである。すなわち、前記２つのパラメータを随時変更した場合に、ジッタ検出部９２５によって検出されるジッタ値を前記２つのパラメータを２変数として定義される平面（２変数平面）上にプロットしたものであり、ジッタ値の等しい点を結ぶことで等高線が描かれる。このように、ジッタ値の分布は、唯一つのジッタ最小値９３０を持つ単峰状の分布を示す。
【００１２】
前記のように構成された信号処理装置９００では、ジッタ最適値検出部９２６が前記２変数平面上の所定の領域９４０を図１８に示すように複数の第１分割第１分割領域９４０ａ〜９４０ｄに分割し、分割した領域の重心９５０ａ〜９５０ｄと全ての分割領域が接する接点９５０ｅのジッタ値をジッタ検出部９２５によって測定する。
【００１３】
さらに、重心９５０ａ〜接点９５０ｅの５つのジッタ測定点のうちジッタ値が最も良好であるジッタ測定点を持つ分割領域を複数の第２分割領域９６０ａ〜９６０ｄに分割し、それらの重心９７０ａ〜９７０ｄ、および全ての分割領域が接する接点９５０ｅのジッタ値をジッタ検出部９２５によって測定する。
【００１４】
以降同様に分割を繰り返し、分割領域の大きさが予め設定した値より小さくなった場合に分割を終了し、その際の分割領域の前記接点における前記２変数をジッタ値が最適になる組合せとして、再生信号波形整形部９２２に設定する。
【特許文献１】特開２００２−４２３４４号公報
【発明の開示】
【発明が解決しようとする課題】
【００１５】
しかしながら、上記従来の装置のように、５つの測定点のうちのジッタ値が最も良好な点を選択しているのでは、各ジッタ測定点間のジッタ値の分布に即した探索が行えない。例えば、図１８の初期分割時において重心９５０ａと接点９５０ｅの間にジッタ値が最小点が存在した場合、重心９５０ａと接点９５０ｅのどちらが第２分割領域の中心に選択されるかわからないため、ジッタ最適点（ジッタ値が最小である点の近傍の点）への追い込み精度が悪い。また、重心９５０ａと接点９５０ｅのどちらが選択された場合でも、ジッタ最適点を探索するためには、分割領域を変更しながら分割回数を増やす必要があり短時間でジッタ最適点の検出が行えない。
【００１６】
本発明は、前記の問題に着目してなされたものであり、ジッタ最適点探索精度を向上することができ、またジッタ最適点探索時間を短縮することが可能な信号処理装置を提供することを課題とする。
【課題を解決するための手段】
【００１７】
前記の課題を解決するため、請求項１の発明は、
少なくとも２つのパラメータによって周波数特性が設定されるフィルタに、光ディスクから読み取られた信号を通過させて波形整形を行う波形整形手段と、
前記波形整形手段から出力される信号を２値化した２値化信号を出力する２値化手段と、
前記２値化信号に同期したクロック信号を生成するＰＬＬ回路と、
前記２値化信号とクロック信号との位相のずれが小さいほど大きな値を示すジッタ指標値を出力するジッタ検出手段と、
前記ジッタ指標値に基づいて、前記フィルタに設定されるパラメータを決定し、前記フィルタに設定するパラメータ設定手段と、
を備え、
前記パラメータ設定手段は、前記２つのパラメータを２つの座標軸とする座標平面上の所定の３つの点をａ，ｂ，ｃとし、各点に対応する２つのパラメータをそれぞれ前記フィルタに設定したときに検出される前記ジッタ指標値をＡ，Ｂ，Ｃ（ただし、Ａ≦Ｂ≦Ｃとする。）とし、所定の重み付け係数をα，β（ただし、１≦α≦βとする。）としたときに、前記座標平面において、
線分ａｂをＢα／（Ａ＋Ｂα）：Ａ／（Ａ＋Ｂα）に内分した点、
線分ｂｃをＣβ／（Ｂα＋Ｃβ）：Ｂα／（Ｂα＋Ｃβ）に内分した点、および
線分ｃａをＡ／（Ａ＋Ｃβ）：Ｃβ／（Ａ＋Ｃβ）に内分した点、
の３つの点によって形成される三角形領域の重心点を求め、その重心点に対応する２つのパラメータを前記フィルタに設定するように構成されていることを特徴とする。
【００１８】
これにより，ジッタ値の分布に即したジッタ最適点を求めることができ、前記三角形領域の各頂点におけるジッタ値を各１回測定するだけで高い探索精度が得られる。また、前記座標平面上におけるジッタ最適点を３点のジッタ測定によって求めることができるので、ジッタ最適点探索時間を大幅に短縮することができる。
【００１９】
また、請求項２の発明は、
請求項１の信号処理装置であって、
さらに、前記座標平面上の所定の４つ以上の点から成る多角形領域における互いに隣り合う２つの頂点、および前記多角形領域の重心点から成る三角形領域のうち、前記２つの頂点および多角形領域の重心点にそれぞれ対応する前記ジッタ指標値の総和が最大になる三角形領域を求める三角形領域決定部を備え、
前記パラメータ設定手段は、前記三角形領域決定部によって求められた三角形領域を前記座標平面上の所定の３つの点として、前記フィルタに設定するパラメータを求めるように構成されていることを特徴とする。
【００２０】
これにより、前記三角形領域を探索する場合に比べてより広範囲の探索を行うことができる。
【００２１】
また、請求項３の発明は、
請求項１の信号処理装置であって、
さらに、前記座標平面上の所定の４つ以上の点からなる多角形領域における互いに隣り合う２つの頂点、および前記多角形領域の重心点から成る三角形領域のうち、前記２つの頂点、前記２つの頂点の中点、および多角形領域の重心点にそれぞれ対応する前記ジッタ指標値の総和が最大になる三角形領域を求める三角形領域決定部を備え、
前記パラメータ設定手段は、前記三角形領域決定部によって求められた三角形領域を前記座標平面上の所定の３つの点として、前記フィルタに設定する２つのパラメータを求めるように構成されていることを特徴とする。
【００２２】
これにより、より高精度にジッタ最適値を含む前記三角形領域を求めることができる。
【００２３】
また、請求項４の発明は、
請求項２、および請求項３のうちの何れか１項の信号処理装置であって、
前記三角形領域決定部は、パラメータ設定手段が求めた前記重心点を重心点とする新たな多角形領域について、前記ジッタ指標値の総和が最大になる三角形領域を求めるように構成され、
前記パラメータ設定手段は、繰り返し、前記三角形領域の重心点を求めるように構成されていることを特徴とする。
【００２４】
これにより、探索領域を変更して、繰り返し探索を行うことによって、より精度よくジッタ最適値を検出できる。
【００２５】
また、請求項５の発明は、
請求項４の信号処理装置であって、
前記パラメータ設定手段は、
前記多角形領域の大きさが所定の大きさ以下になった場合、
前記パラメータ設定手段がＮ回目（Ｎは自然数）の繰り返しで求めた２つのパラメータとＮ＋１回目の繰り返しで求めた２つのパラメータのそれぞれ対応する２つのパラメータのそれぞれの差の絶対値の合計が所定値以下になった場合、
前記パラメータ設定手段が求めた重心点に対応するジッタ指標値が所定値より大きな場合、
または前記パラメータ設定手段が求めた重心点に対応するジッタ指標値が多角形領域の頂点に対応するジッタ指標値よりも大きな場合、
の少なくとも何れか１つの場合に前記繰り返しを中止するように構成されていることを特徴とする。
【００２６】
これにより、より少ない繰り返し回数でジッタ最適値の探索を終え、最適値探索時間を短縮することが可能になる。
【００２７】
また、請求項６の発明は、
請求項１から請求項５のうちの何れか１項の信号処理装置、および光ディスクから信号を読み取る光ピックアップを有することを特徴とする。
【００２８】
これにより、最適なジッタ値で、光ディスクの再生が可能になる。
【００２９】
また、請求項７の発明は、
少なくとも２つのパラメータによって周波数特性が設定されるフィルタに、光ディスクから読み取られた信号を通過させて波形整形を行う波形整形手段と、
前記波形整形手段から出力される信号を２値化した２値化信号を出力する２値化手段と、
前記２値化信号に同期したクロック信号を生成するＰＬＬ回路と、
前記２値化信号とクロック信号との位相のずれが小さいほど大きな値を示すジッタ指標値を出力するジッタ検出手段と、
前記ジッタ指標値に基づいて、前記フィルタに設定されるパラメータを決定し、前記フィルタに設定するパラメータ設定手段と、
を備えた信号処理装置における信号処理方法であって、
前記パラメータ設定手段において、前記２つのパラメータを２つの座標軸とする座標平面上の所定の３つの点をａ，ｂ，ｃとし、各点に対応する２つのパラメータをそれぞれ前記フィルタに設定したときに検出される前記ジッタ指標値をＡ，Ｂ，Ｃ（ただし、Ａ≦Ｂ≦Ｃとする。）とし、所定の重み付け係数をα，β（ただし、１≦α≦βとする。）としたときに、前記座標平面において、
線分ａｂをＢα／（Ａ＋Ｂα）：Ａ／（Ａ＋Ｂα）に内分した点、
線分ｂｃをＣβ／（Ｂα＋Ｃβ）：Ｂα／（Ｂα＋Ｃβ）に内分した点、および
線分ｃａをＡ／（Ａ＋Ｃβ）：Ｃβ／（Ａ＋Ｃβ）に内分した点、
の３つの点によって形成される三角形領域の重心点を求め、その重心点に対応する２つのパラメータを前記フィルタに設定することを特徴とする。
【００３０】
これにより，ジッタ値の分布に即したジッタ最適点を求めることができ、前記三角形領域の各頂点におけるジッタ値を各１回測定するだけで高い探索精度が得られる。また、前記座標平面上におけるジッタ最適点を３点のジッタ測定によって求めることができるので、ジッタ最適点探索時間を大幅に短縮することができる。
【発明の効果】
【００３１】
本発明によれば、ジッタ最適点探索精度を向上させることができ、またジッタ最適点探索時間を短縮することが可能になる。
【発明を実施するための最良の形態】
【００３２】
以下、本発明の実施形態として、例えば再生信号の高周波成分のノイズを除去するローパスフィルタの遮断周波数（ＦＣ）、および前記再生信号の高域成分を増幅する際のブースト量（ＢＳＴ）を求め、求めたパラメータを用いて再生信号のジッタ値が小さくなるように調整する信号処理装置を備えた光ディスク再生装置の例を図面を参照しながら説明する。
【００３３】
《発明の実施形態１》
図１は、発明の実施形態１に係る信号処理装置１２０、およびこれを用いた光ディスク再生装置１００の構成を示すブロック図である。
【００３４】
光ディスク再生装置１００は、同図に示すように、光ピックアップ１１０、再生信号検出部１２１、再生信号波形整形部１２２、再生信号２値化部１２３、ＰＬＬ回路１２４、ジッタ検出部１２５、およびジッタ最適値探索部１２６を備え、光ディスク８００に記録された情報を再生するようになっている。
【００３５】
光ピックアップ１１０は、光ディスク８００に記録された情報を読み取るようになっている。
【００３６】
前記再生信号検出部１２１、再生信号波形整形部１２２、再生信号２値化部１２３、ＰＬＬ回路１２４、ジッタ検出部１２５、およびジッタ最適値探索部１２６によって信号処理装置１２０が構成され、前記遮断周波数（ＦＣ）、およびブースト量（ＢＳＴ）を２つのパラメータとして仮想的に定義される平面（２変数平面）を、例えば図２に示すように三角形領域に分割（三角形領域を抽出）し、前記三角形領域内でジッタ値が最適になるパラメータを求め、求めたパラメータに基づいて、ジッタ値を調整するようになっている。
【００３７】
再生信号検出部１２１は、光ピックアップ１１０が読み取った信号を基に、光ディスク８００上に記録された情報を示す複数の周波数成分からなる再生信号を検出するようになっている。
【００３８】
再生信号波形整形部１２２は、再生信号検出部１２１が出力した再生信号に混入している不要な高周波成分のノイズを除去するための図示しないローパスフィルタの遮断周波数（ＦＣ）を設定するローパスフィルタ設定部１２２ａ、および前記再生信号の高域成分を増幅する際のブースト量（ＢＳＴ）を設定する高域増幅率設定部１２２ｂを備えて構成され、再生信号検出部１２１が出力した再生信号を通すフィルターの周波数特性を変更（波形等化）する複数のパラメータを設定することで波形整形を行うようになっている。
【００３９】
再生信号２値化部１２３は、再生信号波形整形部１２２によって波形整形された再生信号を所定の閾値で２値化した信号（２値化再生信号）を生成するようになっている。
【００４０】
ＰＬＬ回路１２４は、光ディスク８００に対する情報の記録または再生を行う際に基準となるクロック信号と２値化再生信号との時間的な位相の同期化を行うようになっている。
【００４１】
ジッタ検出部１２５は、前記２値化再生信号と前記クロック信号の時間的な位相のずれ度合いを示すジッタ値を検出し、ジッタ値が良好な（小さな）度合いに応じて大きな値を示すジッタ指標値を出力するようになっている。
【００４２】
ジッタ最適値探索部１２６は、前記三角形領域の各頂点（測定点）に対応する前記２つのパラメータを再生信号波形整形部１２２に設定し、ジッタ検出部１２５が出力したジッタ指標値から前記三角形領域内でジッタ最適点（ジッタ値が最小の点の近傍の点）を求め、ジッタ最適点における前記２つのパラメータを求めるようになっている。
【００４３】
次に、本光ディスク再生装置の動作について説明する。
【００４４】
光ピックアップ１１０が光ディスク８００から読み取った情報は、再生信号検出部１２１によって、再生信号として検出される。再生信号波形整形部１２２は、後述するように設定された遮断周波数（ＦＣ）、およびブースト量（ＢＳＴ）に基づいて、前記再生信号の不要な高周波成分のノイズの除去、および高域成分の増幅を行うことによって、再生信号の波形整形を行う。再生信号２値化部１２３は、波形整形された再生信号を所定の閾値で２値化した２値化再生信号を出力する。そして、ＰＬＬ回路１２４が、前記２値化再生信号と前記クロック信号との位相の同期化を行って再生信号を出力することによって、光ディスク８００の情報が再生される。
【００４５】
再生信号波形整形部１２２の遮断周波数（ＦＣ）、およびブースト量（ＢＳＴ）は、ジッタ最適値探索部１２６が図３のフローチャートに示す処理（Ｓ１０１〜Ｓ１０６）を行うことによって設定される。各処理の内容は、次のようになっている。
【００４６】
［Ｓ１０１］  前記２変数平面の３つのジッタ測定点１３０ａ、１３０ｂ、および１３０ｃを決定する（図２を参照。）。
【００４７】
［Ｓ１０２］  ３つのジッタ測定点の何れか１つのジッタ測定点に対応した遮断周波数（ＦＣ）、およびブースト量（ＢＳＴ）を再生信号波形整形部１２２に設定する。
【００４８】
［Ｓ１０３］  ジッタ検出部１２５は、ＰＬＬ回路１２４の出力する２値化再生信号のジッタ値を検出し、検出した値に応じた前記ジッタ指標値を出力する。
【００４９】
［Ｓ１０４］  ３つのの測定点の全てについてジッタ値の検出が終了したかどうかを判定する。終了していない場合は、Ｓ１０２に戻る。
【００５０】
［Ｓ１０５］  前記３つのジッタ指標値を用いて、後述する手順でジッタ最適点１３０ｅを求める。
【００５１】
［Ｓ１０６］  ジッタ最適点１３０ｅにおける遮断周波数（ＦＣ）、およびブースト量（ＢＳＴ）を再生信号波形整形部１２２に設定する。
【００５２】
前記Ｓ１０５において、ジッタ最適値探索部１２６は、次のようにしてジッタ最適点１３０ｅを求める。
【００５３】
まず、３つのジッタ測定点１３０ａ、１３０ｂ、および１３０ｃにおける前記ジッタ指標値がそれぞれＡ、Ｂ、およびＣ（ただし、Ａ≦Ｂ≦Ｃ）であるとすれば、図４に示すように、ジッタ測定点１３０ａとジッタ測定点１３０ｂとを結ぶ線分をＬ１：Ｌ２の比（Ｌ１、Ｌ２．．．Ｌ６は、後述する式（１）により算出される。）に分割する算出点１３０ｆ、ジッタ測定点１３０ｂとジッタ測定点１３０ｃとを結ぶ線分をＬ３：Ｌ４の比で分割する算出点１３０ｇ、およびジッタ測定点１３０ｃとジッタ測定点１３０ａとを結ぶ線分をＬ５：Ｌ６の比で分割する算出点１３０ｈを下記の式（１）を用いて求める。
Ｌ１  ＝  Ｂα／（Ａ＋Ｂα）
Ｌ２  ＝  Ａ／（Ａ＋Ｂα）
Ｌ３  ＝  Ｃβ／（Ｂα＋Ｃβ）
Ｌ４  ＝  Ｂα／（Ｂα＋Ｃβ）
Ｌ５  ＝  Ａ／（Ａ＋Ｃβ）
Ｌ６  ＝  Ｃβ／（Ａ＋Ｃβ）    ・・・（１）
ただし、α、βは、１≦α≦βの所定の定数である。
【００５４】
次に、算出点１３０ｆ、算出点１３０ｇ、および算出点１３０ｈを頂点とする三角形の重心をジッタ最適点１３０ｅとして求める。このジッタ最適点１３０ｅは、重心１３０ｄとは異なる点（移動した点）になる。
【００５５】
前記のように、各ジッタ指標値に（Ａ、Ｂα、Ｃβ）のように重み付けをしてジッタ最適点１３０ｅを求めることによって、ジッタ値の分布に即したジッタ最適点を求めることができ、前記３つのジッタ測定点を各１回測定するだけで高い探索精度が得られる。
【００５６】
また、分割領域中の２変数平面におけるジッタ最適点を３点のジッタ測定によって求めることができるので、ジッタ最適点探索時間を大幅に短縮することができる。
【００５７】
《発明の実施形態２》
発明の実施形態２に係る光ディスク再生装置は、前記２変数平面上の所定の４角形領域において探索を行うように構成された装置の例である。なお、以下の実施形態において前記実施形態１等と同様の機能を有する構成要素については、同一の符号を付して説明を省略する。
【００５８】
図５は、発明の実施形態２に係る光ディスク再生装置２００の構成を示すブロック図である。同図に示すように、光ディスク再生装置２００の信号処理装置２２０は、実施形態１の信号処理装置１２０に対し、ジッタ検出部１２５とジッタ最適値探索部１２６の間にＦＣ、ＢＳＴ平面分割部２２７を備えて構成される。
【００５９】
ＦＣ、ＢＳＴ平面分割部２２７は、前記２変数平面における所定の４角形領域をその重心と４角形の各頂点を結ぶ線分によって４つの三角形領域に分割し、前記４角形領域の頂点４つと前記重心の計５点についてジッタ検出部１２５によりジッタ値の計測を行い、各三角形領域ごとに３つの頂点のジッタ指標値の総和を求め、総和が最も大きなものをジッタ値が最適になる前記２つのパラメータの組み合わせを含む三角形領域として求めるようになっている。
【００６０】
このように構成された、光ディスク再生装置２００では、以下のようにしてジッタ最適点が探索される。
【００６１】
まず、ＦＣ、ＢＳＴ平面分割部２２７は、前記２変数平面を図６に示すように４角形の領域に分割し、分割した４角形の頂点と重心をジッタ測定点とし、各ジッタ測定点に対応する前記２つのパラメータを再生信号波形整形部１２２に順次設定し、５つのジッタ測定点のジッタ値をジッタ検出部１２５で測定する。そして、各三角形領域ごとに３つの頂点のジッタ指標値を加算し、もっとも大きなジッタ指標値を示した最適分割領域２３０ａを求める。この最適分割領域２３０ａの範囲内には、多くの場合、分割した４角形内のジッタ指標値が最大となる点が含まれている。
【００６２】
次に、最適分割領域２３０ａに対し、ジッタ最適値探索部１２６は、実施形態１と同様にして、ジッタ最適値としてジッタ最適値２３０ｂを求める（図６を参照）。
【００６３】
前記のように、本実施形態は、４角形に分割した領域中のジッタ最適値を５点のジッタ測定によって探索することができ、ジッタ最適値探索時間を大幅に短縮することができる。また、実施形態１の装置に比べてより広範囲の探索を行うことができる。
【００６４】
なお、ＦＣ、ＢＳＴ平面分割部２２７が前記三角形領域を探索するのは、前記で説明したような４角形領域には限られない。具体的には、多角形の図心のような多角形の内部にある点と多角形の各頂点とによって構成される三角形領域に対して前記のように探索を行い、ジッタ最適値を含む三角形領域を探索するようにすればよい。
【００６５】
《発明の実施形態３》
図７は、発明の実施形態３に係る光ディスク再生装置３００の構成を示すブロック図である。同図に示すように、光ディスク再生装置２００は、実施形態２の装置に対し、信号処理装置３２０の構成、すなわち信号処理装置３２０が実施形態２の信号処理装置２２０のジッタ最適値探索部１２６に代えてジッタ最適値複数回絞込み探索部３２６を備えて構成されている点が異なっている。
【００６６】
ジッタ最適値複数回絞込み探索部３２６は、以下のようにしてジッタ最適値を求め、その最適値に対応する前記２つのパラメータを再生信号波形整形部１２２に設定するようになっている。
【００６７】
すなわち、高域増幅率設定部１２２ｂにおいて設定できるブースト量（ＢＳＴ）の幅がＸ、ローパスフィルタ設定部１２２ａにおいて設定できる遮断周波数（ＦＣ）の幅がＹであるとすれば、ＦＣ、ＢＳＴ平面分割部２２７において、探索第１回目に分割する４角形領域のＢＳＴ軸方向の辺の長さをＸ／Ｒ１（Ｒ１は所定の定数、また、後述するＲ２、Ｒ３も同様に所定の定数）、ＦＣ軸方向の辺の長さをＹ／Ｒ１とする。ＦＣ、ＢＳＴ平面分割部２２７は、この４角形領域におけるジッタ最適値を含む三角形領域を探索する。ジッタ最適値複数回絞込み探索部３２６は、実施形態１等のジッタ最適値探索部１２６が求めるのと同様にして、この三角形領域におけるジッタ値の最適値を探索１回目のジッタ最適値として求める。次に、探索領域をＢＳＴ軸の辺の長さがＸ／Ｒ２、ＦＣ軸の辺の長さがＹ／Ｒ２、重心が探索１回目のジッタ最適値である４角形領域に変更し、これを２回目の探索領域とし、探索１回目と同様にしてジッタ最適値の探索を行うことによって、探索２回目のジッタ最適値を得る。このように新たに求めたジッタ最適値を重心とする４角形領域に対して探索を繰り返し、分割する４角形領域の辺の長さが、次の式（２）のようになったとき探索を終了し、そのジッタ最適値に対応する前記２つのパラメータを再生信号波形整形部１２２に設定する。
【００６８】
Ｘ／Ａ  ＝  Ｚ  または  Ｙ／Ａ  ＝  Ｚ  （Ａ＝Ｒ１、Ｒ２、Ｒ３・・・、Ｚは所定の定数）・・・（２）
このように構成された光ディスク再生装置３００では、前記式（２）におけるＡ、Ｚの値によって探索パターンを任意に設定することができる。例えば、図８は、（Ｒ２＝Ｒ１×２、Ｒ３＝Ｒ２×２・・・）というように探索回数が１増える毎に分割する辺の長さを半分に変更しながら探索を行う例である。
【００６９】
また、図９は、（Ｒ２＝Ｒ１／２、Ｒ３＝Ｒ２／２・・・）というように探索回数が１増える毎に分割する辺の長さを倍に変更しながら探索を行う場合の例であり、図１０は、（Ｒ２＝Ｒ１、Ｒ３＝Ｘ／４、Ｚ＝４＝Ｘ／Ｒ３）として、探索１回目と探索２回目とを同じ辺の長さで探索を行い、探索３回目で辺の長さ＝４で探索した後、終了条件（Ｚ＝４）を満たすために探索を終える例である。
【００７０】
前記のように、本実施形態では、前記２変数平面上のジッタ最適値が、探索１回目に分割した領域外に存在した場合においても、前記のように複数回探索を行うことで、ジッタ最適値に追い込むことができるため、より精度の高いジッタ最適値探索を行うことが可能になる。
【００７１】
なお、本実施形態においてＦＣ、ＢＳＴ平面分割部２２７が、前記４角形領域ではなく多角形領域を探索する場合には、多角形領域の辺の長さや多角形領域の面積などが所定の大きさ以下になった場合に、前記探索を終えるようにしてもよい。
【００７２】
《発明の実施形態４》
図１１は、発明の実施形態４に係る光ディスク再生装置４００の構成を示すブロック図である。同図に示すように、光ディスク再生装置４００は、実施形態３とは、信号処理装置４２０の構成が異なり、信号処理装置４２０は、実施形態３の信号処理装置３２０に補正幅閾値探索終了判定部４２８を加えて構成されている。
【００７３】
補正幅閾値探索終了判定部４２８は、ジッタ最適値複数回絞込み探索部３２６が複数回探索を行う際に、探索Ｎ回目のジッタ最適点における遮断周波数（ＦＣ）と探索Ｎ＋１回目のジッタ最適点における遮断周波数（ＦＣ）との差、および探索Ｎ回目のジッタ最適点におけるブースト量（ＢＳＴ）と探索Ｎ＋１回目のジッタ最適点におけるブースト量（ＢＳＴ）との差が所定の設定値以下になった場合に、ジッタ最適値複数回絞込み探索部３２６における探索をＮ＋１回目で終了させると判定するようになっている。具体的には、探索Ｎ回目のジッタ最適値の前記２変数平面上の座標が（Ｘｎ，Ｙｎ）（ｎは探索回数、ｎ＝１，２，３…）、探索（Ｎ＋１）回目のジッタ最適値の座標が（Ｘｎ＋１，Ｙｎ＋１）（ｎ＝１，２，３…）であるとき、補正幅閾値探索終了判定部４２８において、探索を終了すると判定する判定基準を式（３）のように定義し、
｜Ｘｎ−Ｘｎ＋１｜＋｜Ｙｎ−Ｙｎ＋１｜  ＜  Ｍ  （Ｍ：所定の定数）・・・（３）
式（３）を満足するまで探索を繰り返す。式（３）を満たしたときは、探索Ｎ回目のジッタ最適値と探索Ｎ＋１回目のジッタ最適値が前記２変数平面平面において近い値になったことを意味し、それ以上探索を重ねる必要がないことを示している。
【００７４】
前記のように、本実施形態では、ジッタ分布によっては前記式（２）の探索終了条件を満足する前に探索を終了できるので、実施形態３の装置よりも少ない繰り返し回数で最適値探索が終わることになり、最適値探索時間を短縮することができる。
【００７５】
《発明の実施形態５》
図１２は、発明の実施形態５に係る光ディスク再生装置５００の構成を示すブロック図である。同図に示すように、光ディスク再生装置５００は、実施形態４の補正幅閾値探索終了判定部４２８に代えてジッタ閾値探索終了判定部５２８を備えて構成されている。
【００７６】
ジッタ閾値探索終了判定部５２８は、前記補正幅閾値探索終了判定部４２８とは、ジッタ最適値複数回絞込み探索部３２６における探索を終了させる場合の判定基準が異なっている。
【００７７】
すなわち、探索Ｎ回目のジッタ最適点におけるジッタ指標値が次に示す式（４）を満足した場合に、ジッタ最適値複数回絞込み探索部３２６での探索を終了させると判定する。
【００７８】
探索Ｎ回目のジッタ最適点におけるジッタ指標値  ＞  Ｊ  （Ｊ：所定のジッタ指標値）・・・（４）
前記のように、本実施形態でも、ジッタ分布によっては前記式（２）の探索を終了条件を満足する前に探索を終了できるので、実施形態３の装置よりも少ない繰り返し回数で最適値探索が終わることになり、最適値探索時間を短縮することができる。
【００７９】
《発明の実施形態６》
図１３は、発明の実施形態６に係る光ディスク再生装置６００の構成を示すブロック図である。同図に示すように、光ディスク再生装置６００は、実施形態４の補正幅閾値探索終了判定部４２８に代えて交点最適時探索終了判定部６２８を備えて構成されている。
【００８０】
交点最適時探索終了判定部６２８は、前記補正幅閾値探索終了判定部４２８とは、ジッタ最適値複数回絞込み探索部３２６における探索を終了させる場合の判定基準が異なっている。
【００８１】
すなわち、交点最適時探索終了判定部６２８は、探索Ｎ回目において、前記ＦＣ、ＢＳＴ平面分割部２２７によって分割した４角形領域の頂点と前記４角形領域の重心の計５つのジッタ測定点中、前記重心のジッタ指標値が他の測定点におけるジッタ指標値よりも大きな値であった場合、探索Ｎ回目でジッタ最適値複数回絞込み探索部３２６での探索を終了させると判定するようになっている。
【００８２】
前記のように、本実施形態でも、ジッタ分布によっては前記式（２）の探索を終了条件を満足する前に探索を終了できるので、実施形態３の装置よりも少ない繰り返し回数で最適値探索が終わることになり、最適値探索時間を短縮することができる。
【００８３】
《発明の実施形態７》
図１４は、発明の実施形態７に係る光ディスク再生装置７００の構成を示すブロック図である。同図に示すように、光ディスク再生装置７００は、実施形態２のＦＣ、ＢＳＴ平面分割部２２７に代えてＦＣ、ＢＳＴ平面９点分割部７２７を備えて構成されている。
【００８４】
ＦＣ、ＢＳＴ平面９点分割部７２７は、前記２変数平面における４角形の領域をその重心と４角形の各頂点を結ぶ線分によって４つの三角形領域に分割し、前記４角形の４つの頂点、前記重心、さらに４角形の各辺の中点の計９点についてジッタ検出部１２５によりジッタ値の計測を行い、各三角形領域ごとに３つの頂点、およびその三角形の一つの辺に含まれる前記中点のジッタ指標値の総和を求め、総和がもっとも大きなものをジッタ値が最適になる前記２つのパラメータの組み合わせを含む三角形領域として求めるようになっている。
【００８５】
このように構成された光ディスク再生装置７００では、以下のようにしてジッタ最適点が探索され、前記２つのパラメータが設定される。
【００８６】
例えば、図１５に示す２変数平面の４角形領域において、ジッタ測定点７３０ａ〜７３０ｄを４角形の頂点、ジッタ測定点７３０ｅを重心、ジッタ測定点７３０ｆ〜７３０ｉを各辺の中点とすれば、ＦＣ、ＢＳＴ平面９点分割部７２７は、これら９つのジッタ測定点について、ジッタ検出部１２５によってジッタ値を測定する。そして、各三角形領域ごとにその三角形領域に含まれる４つのジッタ測定点におけるジッタ指標値の総和を求め、総和がもっとも大きな三角形領域をジッタ値が最適にな前記２つのパラメータの組み合わせを含む三角形領域として求める。ジッタ最適値探索部１２６は、この三角形領域におけるジッタ最適値を求め、この場合の２つのパラメータを再生信号波形整形部１２２に設定する。
【００８７】
前記実施形態２の装置では確実にジッタ最適値を含む領域を選択できないようなジッタ分布であっても、本実施形態は、ジッタ測定点を増加することで、ジッタ最適点を含む領域を選択する際の精度を実施形態２の装置よりも向上することができる。
【００８８】
なお、前記各実施形態で説明した構成要素は、論理的に可能な範囲で種々に組み合わせてもよい。具体的には、例えば、実施形態７においても、ジッタ最適値探索部１２６の代わりに実施形態３のジッタ最適値複数回絞込み探索部３２６を設けたり、さらに補正幅閾値探索終了判定部４２８、ジッタ閾値探索終了判定部５２８、または交点最適時探索終了判定部６２８を用いてジッタ最適値複数回絞込み探索部３２６の探索の終了を判定するようにしてもよい。また、補正幅閾値探索終了判定部４２８、ジッタ閾値探索終了判定部５２８、および交点最適時探索終了判定部６２８は、これらを組み合わせて、ジッタ最適値複数回絞込み探索部３２６の探索の終了を判定するようにしてもよい。
【００８９】
また、ジッタ最適値複数回絞込み探索部３２６では、探索の終了の判定を行わず、補正幅閾値探索終了判定部４２８、ジッタ閾値探索終了判定部５２８、または交点最適時探索終了判定部６２８で探索の終了の判定を行うようにしてもよい。
【００９０】
また、再生信号の波形に影響する複数のパラメータとして説明した前記遮断周波数（ＦＣ）、およびブースト量（ＢＳＴ）は例示であり、ジッタ値の分布が唯一つのピーク値を持つ単峰状の分布を示すような関係を有する２つのパラメータであれば本発明を適用できる。
【産業上の利用可能性】
【００９１】
本発明に係る信号処理装置は  ジッタ最適点探索精度を向上させることができ、またジッタ最適点探索時間を短縮することが可能になるという効果を有し、光ディスク再生装置等に適用され、例えば光ディスクを再生する際の再生信号の高周波成分のノイズを除去するローパスフィルタの遮断周波数などの再生信号の波形に影響する複数のパラメータのうちの２つのパラメータの最適な組合せを探索し、探索したパラメータを用いて再生などの信号処理を行う信号処理装置、信号処理方法、および光ディスク再生装置等として有用である。
【図面の簡単な説明】
【００９２】
【図１】本発明の実施形態１に係る光ディスク再生装置の構成を示すブロック図である。
【図２】実施形態１においてジッタ値が最適となるパラメータが探索される領域を示す図である。
【図３】実施形態１においてジッタ最適値を求める手順を示すフローチャートである。
【図４】実施形態１においてジッタ最適値を求める方法を示す図である。
【図５】本発明の実施形態２に係る光ディスク再生装置の構成を示すブロック図である。
【図６】実施形態２におけるジッタ最適値の探索方法を示す図である。
【図７】本発明の実施形態３に係る光ディスク再生装置の構成を示すブロック図である。
【図８】実施形態３におけるジッタ最適値の探索方法を示す図である。
【図９】実施形態３における他のジッタ最適値の探索方法を示す図である。
【図１０】実施形態３における他のジッタ最適値の探索方法を示す図である。
【図１１】本発明の実施形態４に係る光ディスク再生装置の構成を示すブロック図である。
【図１２】本発明の実施形態５に係る光ディスク再生装置の構成を示すブロック図である。
【図１３】本発明の実施形態６に係る光ディスク再生装置の構成を示すブロック図である。
【図１４】本発明の実施形態７に係る光ディスク再生装置の構成を示すブロック図である。
【図１５】実施形態７におけるジッタ最適値の探索方法を示す図である。
【図１６】従来の光ディスク再生装置の構成を示すブロック図である。
【図１７】遮断周波数（ＦＣ）、およびブースト量（ＢＳＴ）をパラメータとした場合のジッタ値分布を示す図である。
【図１８】従来の装置におけるジッタ最適値の探索方法を示す図である。
【符号の説明】
【００９３】
１００      光ディスク再生装置
１１０      光ピックアップ
１２０      信号処理装置
１２１      再生信号検出部
１２２      再生信号波形整形部
１２２ａ    ローパスフィルタ設定部
１２２ｂ    高域増幅率設定部
１２３      再生信号２値化部
１２４      ＰＬＬ回路
１２５      ジッタ検出部
１２６      ジッタ最適値探索部
１３０ａ    ジッタ測定点
１３０ｂ    ジッタ測定点
１３０ｃ    ジッタ測定点
１３０ｄ    重心
１３０ｅ    ジッタ最適点
１３０ｆ    算出点
１３０ｇ    算出点
１３０ｈ    算出点
２００      光ディスク再生装置
２２０      信号処理装置
２２７      ＢＳＴ平面分割部
２３０ａ    最適分割領域
２３０ｂ    ジッタ最適値
３００      光ディスク再生装置
３２０      信号処理装置
３２６      探索部
４００      光ディスク再生装置
４２０      信号処理装置
４２８      補正幅閾値探索終了判定部
５００      光ディスク再生装置
５２８      ジッタ閾値探索終了判定部
６００      光ディスク再生装置
６２８      交点最適時探索終了判定部
７００      光ディスク再生装置
７２７      点分割部
７３０ａ〜７３０ｉ      ジッタ測定点
８００      光ディスク
９００      信号処理装置
９１０      光ピックアップ
９２１      再生信号検出部
９２２      再生信号波形整形部
９２３      再生信号２値化部
９２４      ＰＬＬ回路
９２５      ジッタ検出部
９２６      ジッタ最適値検出部
９３０      ジッタ最小値
９４０      領域
９４０ａ〜９４０ｄ      分割領域
９５０ａ    重心
９５０ａ〜９５０ｄ      重心
９５０ｅ    接点
９６０ａ〜９６０ｄ      第２分割領域
９７０ａ〜９７０ｄ      重心
【図１】
2006127581.tif 000003
【図２】
2006127581.tif 000004
【図３】
2006127581.tif 000005
【図４】
2006127581.tif 000006
【図５】
2006127581.tif 000007
【図６】
2006127581.tif 000008
【図７】
2006127581.tif 000009
【図８】
2006127581.tif 000010
【図９】
2006127581.tif 000011
【図１０】
2006127581.tif 000012
【図１１】
2006127581.tif 000013
【図１２】
2006127581.tif 000014
【図１３】
2006127581.tif 000015
【図１４】
2006127581.tif 000016
【図１５】
2006127581.tif 000017
【図１６】
2006127581.tif 000018
【図１７】
2006127581.tif 000019
【図１８】
2006127581.tif 000020